(57)【要約】【課題】リムーバブルメディアを用いてディスプレイ装置で表示する際に、リムーバブルメディアの盗難や複製によりリムーバブルメディア内のデータが流出するのを防ぐこと。【解決手段】表示装置固有の機器IDを保存する機器ID記憶手段、パスワードを入力するパスワード入力手段、機器IDとパスワードとをキーとしてリムーバブルメディア内のデータを暗号化する暗号化手段、機器IDとパスワードとをキーとしてリムーバブルメディア内のデータを復号する復号手段、リムーバブルメディア内のデータを表示する表示手段、及びリムーバブルメディア内のデータを表示する際にリムーバブルメディア内のデータを暗号化する制御手段を備える。【選択図】図２
2015143950.tif 000002
【特許請求の範囲】
【請求項１】
表示装置固有の機器IDを保存する機器ID記憶手段と、
パスワードを入力するパスワード入力手段と、
前記機器IDと前記パスワードとをキーとしてリムーバブルメディア内のデータを暗号化する暗号化手段と、
前記機器IDと前記パスワードとをキーとして前記リムーバブルメディア内のデータを復号する復号手段と、
前記リムーバブルメディア内のデータを表示する表示手段と、
前記リムーバブルメディア内のデータを表示する際に前記リムーバブルメディア内のデータを暗号化する制御手段と、
を備えたことを特徴とする表示装置。
【請求項２】
前記制御手段は、前記リムーバルメディア内のデータが既に暗号化されている場合に復号して表示を行うようにしたことを特徴とする請求項１記載の表示装置。
【請求項３】
前記制御手段は、前記表示手段が表示可能なデータのみを暗号化するようにしたことを特徴とする請求項１または２記載の表示装置。
【請求項４】
前記制御手段は、前記表示手段が表示予定のデータのみを暗号化するようにしたことを特徴とする請求項１または２記載の表示装置。
【請求項５】
前記制御手段は、指定されたデータのみを暗号化するようにしたことを特徴とする請求項１または２記載の表示装置。
【請求項６】
前記制御手段は、指定されたデータのみを復号するようにしたことを特徴とする請求項１または２記載の表示装置。
【請求項７】
前記表示手段の位置情報を検出する位置検出手段と、
前記機器IDと前記位置情報とをキーとして前記リムーバブルメディア内のデータを暗号化する暗号化手段と、
前記機器IDと前記位置情報とをキーとして前記リムーバブルメディア内のデータを復号する復号手段と、
を備えたことを特徴とする請求項１または２記載の表示装置。
【請求項８】
前記制御手段は、前記表示手段が表示予定のデータのみを暗号化するようにしたことを特徴とする請求項７記載の表示装置。
【請求項９】
前記制御手段は、指定されたデータのみを暗号化するようにしたことを特徴とする請求項７記載の表示装置。
【請求項１０】
前記制御手段は、指定されたデータのみを復号するようにしたことを特徴とする請求項７記載の表示装置。
【請求項１１】
表示装置固有の機器IDを保存する工程と、
パスワードを入力する工程と、
前記機器IDと前記パスワードとをキーとしてリムーバブルメディア内のデータを復号する工程と、
前記リムーバブルメディア内のデータを表示する工程と、
前記リムーバブルメディア内のデータを表示する際に前記リムーバブルメディア内のデータを前記機器IDと前記パスワードとをキーとして暗号化する工程と、
を備えたことを特徴とする表示装置の制御方法。
【請求項１２】
機器ID記憶手段と、パスワード入力手段と、暗号化手段と、復号手段と、表示手段と、を備えた表示装置のコンピュータが読み取り可能な制御プログラムにおいて、
前記コンピュータが、
前記機器ID記憶手段に、表示装置固有の機器IDを保存する手順、
前記パスワード入力手段に、パスワードを入力する手順、
前記暗号化手段に、前記機器IDと前記パスワードとをキーとしてリムーバブルメディア内のデータを表示する際に暗号化する手順、
前記復号手段に、前記機器IDと前記パスワードとをキーとして前記リムーバブルメディア内のデータを復号する手順、
前記表示手段に、前記リムーバブルメディア内のデータを表示する手順、
を実行させるための表示装置の制御プログラム。
【発明の詳細な説明】
【技術分野】
【０００１】
本発明は、表示装置、表示装置の制御方法、及び制御プログラムに関する。
【背景技術】
【０００２】
USBメモリ等の記憶媒体（以下、リムーバブルメディア）に表示コンテンツを保存しておき、管理者が近くにいない状態でも常にコンテンツを表示することが可能なディスプレイ装置を使用したサイネージシステムが既に知られている。また、リムーバブルメディアに保存されたコンテンツのデータを保護するためPCやリムーバブルメディアに搭載された暗号化ソフトでデータを暗号化できることが既に知られている。
尚、USBはUniversal Serial Busの略であり、PCはPersonal Computerの略である。
【０００３】
従来のサイネージシステムでは管理者がディスプレイ装置の近くにいなくても表示可能である。このため、管理者に気づかれないでリムーバブルメディアが盗まれたり、リムーバブルメディアの内容がコピーされたりして表示コンテンツが流出してしまうという問題があった。また、従来の暗号化ソフトで暗号化したデータはディスプレイ装置においても同じ暗号化ソフトが搭載されている必要があり、搭載されていない場合はコンテンツを再生できないという問題があった。
【０００４】
そこで、この種の問題を解決すべく種々の提案がなされた（例えば、特許文献１参照。）。
特許文献１に記載の発明は、コンテンツを格納し、リムーバル記憶メディアであっても、強固なコピーガード機能を備え、漏洩しやすいパスワードの使用に頼らないリムーバル記憶メディアを装着した閲覧・視聴端末装置を提供することを目的とする。特許文献１に記載の発明は、リムーバル記憶メディアから閲覧・視聴プログラムをロードし、閲覧・視聴プログラムがリムーバル記憶メディアに格納したコンテンツを処理して閲覧・視聴させるリムーバル記憶メディアを装着した装置に関する。特許文献１にはリムーバル記憶メディアと閲覧・視聴端末装置の組み合わせの正当性を照合する認証手段と、暗号化されて格納されているコンテンツの復号手段と、を有するリムーバル記憶メディアを装着した閲覧・視聴端末装置が開示されている。
【発明の概要】
【発明が解決しようとする課題】
【０００５】
しかしながら、特許文献１に記載の発明は、暗号化ソフトで暗号化したデータはディスプレイ装置においても同じ暗号化ソフトが搭載されている必要があり、搭載されていない場合はコンテンツを再生できないという問題は解消できていない。
【０００６】
そこで、本発明の目的は、リムーバブルメディアを用いてディスプレイ装置で表示する際に、リムーバブルメディアの盗難や複製によりリムーバブルメディア内のデータが流出するのを防ぐことにある。
【課題を解決するための手段】
【０００７】
上記課題を解決するため、請求項１に記載の発明は、表示装置固有の機器IDを保存する機器ID記憶手段と、パスワードを入力するパスワード入力手段と、前記機器IDと前記パスワードとをキーとしてリムーバブルメディア内のデータを暗号化する暗号化手段と、前記機器IDと前記パスワードとをキーとして前記リムーバブルメディア内のデータを復号する復号手段と、前記リムーバブルメディア内のデータを表示する表示手段と、前記リムーバブルメディア内のデータを表示する際に前記リムーバブルメディア内のデータを暗号化する制御手段と、を備えたことを特徴とする。
【発明の効果】
【０００８】
本発明によれば、リムーバブルメディアを用いてディスプレイ装置で表示する際に、リムーバブルメディアの盗難や複製によりリムーバブルメディア内のデータが流出するのを防ぐことができる。
【図面の簡単な説明】
【０００９】
【図１】一実施形態に係るブロック図である。
【図２】図１に示した表示装置の動作を表すフローチャートの一例である。
【図３】図１に示した表示装置の動作を表すフローチャートの他の一例である
【図４】図１に示した表示装置の動作を表すフローチャートの他の一例である。
【図５】他の実施形態に係るブロック図である。
【図６】図５に示した表示装置の動作を表すフローチャートの一例である。
【発明を実施するための形態】
【００１０】
本発明の実施形態について図面を参照して説明する。
＜構成１＞
図１は、一実施形態に係るブロック図である。
本実施形態ではプロジェクタを例として取り上げるが、投影システムとしての、例えばDLP(Digital Light Processing)方式やLCD（Liquid Crystal Display）方式等や光源の種類としての、例えば水銀ランプやレーザー光源等は問わない。また、リムーバブルメディアのデータを表示可能なものであればディスプレイやテレビジョン受像器等でもよく、プロジェクタに限らない。本発明の範囲は以降の図示例に限定されない。
【００１１】
表示装置としてのプロジェクタ100は、I/F部10、制御部11、音声処理部12、スピーカー13、映像処理部14、光学ユニット制御部15、光学ユニット16、光源制御部17、光源18、操作部19、記憶部20、暗号化部21、及び復号部22を有する。
【００１２】
I/F部10は外部機器との間で各種情報を入出力するためのインターフェースである。I/F部10は例えば、映像ポート101や、音声ポート102、USBポート103や、LANポート104等を有する。
映像ポート101は、I/F部10は例えば、PC（Personal Computer）やAV（Audio Visual/Video）機器と映像/制御信号等を送受信するためのポートである。音声ポート102は、音声/制御信号等を送受信するためのポートである。USBポート103はUSB(Universal Serial Bus)端子と接続された機器のデータを送受信するためのポートである。LANポート104はLAN(Local Area Network)接続のためのポートである。
このような構造により外部機器やネットワークと接続して映像やデータをプロジェクタ100に入出力することができる。
【００１３】
制御部11は、例えばCPU(Central Processing Unit)111、ROM(Read Only Memory)112、RAM(Random Access Memory)113等を有する。CPU111はROM112や記憶部20に記憶された各種処理プログラムに従って制御を行う。ROM112はプロジェクタ100で実行可能なプログラム、プログラムで実行可能な各種処理プログラム、これら各種処理プログラムを実行する際に使用されるデータ、CPU111の演算処理結果のデータなどを記憶する。RAM113は、CPU111によって実行される処理プログラム等を展開するためのプログラム格納領域や、入出力データや処理プログラムが実行される際に生じる処理結果等を格納するデータ格納領域等を有する。
【００１４】
音声処理部12は、I/F部10から入力された音声信号に対して、音量調整や音質調整等の処理を行う。処理後の音声信号はスピーカー13や音声出力ポート（図示しない）から出力される。
映像処理部14はI/F部10から入力された映像信号に対して、アナログ→デジタル変換や解像度等の判定・調整、輝度やコントラスト等の画質調整、台形補正等の各種処理を行う。処理後のデータはRAM113やバッファメモリ（図示しない）等に保存され、光学ユニット制御部15を経由して投影される。
光学ユニット制御部15は映像処理部14から入力されたデータに基づき、光学ユニット16を制御して投影を行う。光源制御部17は光源18（例えば水銀ランプ等）の点灯、消灯を制御部11からの指示に基づき制御する。
パスワード入力手段としての操作部19は、例えばカーソルキーや文字/数字キー、各種機能キー、リモコンや遠隔からの指示を受ける受信部等を有する。ハードキーやリモコン等からユーザの入力を受け付け、制御部111にその内容を伝達することで、受け付けた入力と紐付いた機能を実現する。
記憶部20は、例えばEEPROM(Electrically Erasable Programmable ROM)等の不揮発性メモリであり、実行可能なプログラム、プログラムで実行可能な各種処理プログラム、これら各種処理プログラムを実行する際に使用されるデータ等を記憶する。機器ID記憶手段としての記憶部20は例えば、機器固有のユニークなID等を記憶する。
表示手段120は、映像処理部14、光学ユニット制御部15、光学ユニット16、光源制御部17、及び光源18を有する。
【００１５】
ここで、ユニークなIDとは、表示装置を一意に識別することができる、という意味で"ユニークな"と記載した。プロジェクタ名等ユーザが指定・変更できるIDだと同じものが存在する可能性があるため、基板ごとに割り振られたIDや表示装置毎に割り振られたID等を意図している。また、ユニークなIDをユーザが使用することは想定していない。ユニークなIDは工場等で製品出荷時に記録されるものとする。ユーザが設定したパスワードと、予め機器に記録されたユニークなIDとをキーとして表示装置が暗号化・復号を行うため、ユーザがユニークなIDを使用することはない。パスワードは、ユーザが知らないか、もしくは知っても変更等できないものとする。
【００１６】
暗号化部21は、例えばUSBポート103に接続されたUSBメモリ内のデータについて、特定の情報として例えば、記憶部20に予め記憶された機器固有のIDやユーザが設定したパスワード等をキーとして暗号化する。暗号方式は復号部22にて復号可能であれば良く、方式は問わない。暗号化の際、暗号化前のデータは記憶部20に記憶し、USBメモリからは削除するが、他の方法でUSBメモリ内のデータのセキュリティを確保してもよい。
復号部22は暗号化部21にて暗号化されたデータを、特定の情報として例えば、記憶部20に予め記憶された機器固有のIDやユーザが設定したパスワード等をキーとして復号する。復号の際、復号された元のデータはUSBメモリ内に蓄積し、暗号化されたデータは削除するようにするが、他の方法でUSBメモリ内のデータのセキュリティが確保されていた場合には適切な方法で復元する。また、データの保存先は問わない。
【００１７】
＜動作１＞
図２は、図１に示した表示装置の動作を表すフローチャートの一例である。
以降の実施の形態は図１に示した表示装置の動作の例であり、順序が異なっていてもよく、限定されない。
ユーザは投影したいデータを保存したUSBメモリ等のリムーバブルメディアをプロジェクタ100のUSBポート103に接続し、操作部19を操作してサイネージモードを開始する（S101）。ここでは明示的にサイネージモードというUSBメモリ内のデータを投影するためのモードをユーザが開始してUSB内のデータを投影する場合を例としているが、本発明はこれに限定されるものではない。USBメモリを認識した時点で自動的にサイネージモードを開始してもよく、単純にUSBメモリ内のデータにアクセスした際にサイネージモードとしなくても以降の処理を行ってもよい。
【００１８】
制御部11は暗号化/復号で使用するキーとして操作部19経由でパスワードを入力させる（S102）。本実施形態では暗号化/復号に使用するキーとしてユーザにパスワードを入力させている。また、予め機器本体に設定されているパスワードを使用してもよく、その際は入力されたパスワードと設定されているパスワードが一致するか否かの判定を加えてもよい。さらに、暗号化/復号に使用するキーはパスワードに限らず、セキュリティを確保できるものであればよい。
【００１９】
暗号化部21はユーザによって入力されたパスワードと記憶部20もしくはROM112等に保存されている機器固有のユニークなIDをキーとしてUSBメモリ内のデータを暗号化する（S103）。暗号化前のデータを記憶部20もしくはROM112、RAM113等に取り込み、暗号化後のデータをUSBメモリに配置する。本実施形態では暗号化前のデータを記憶部20へ配置し、暗号化後のデータをUSBメモリへ配置する例を示した。しかし、S104で投影予定もしくは投影中の元データのみを記憶部20もしくはROM112、RAM113等に配置し、投影予定でないもしくは投影中でない元データは削除しておいてもよい。
暗号化する対象は、例えば、投影予定としてユーザに指定されているデータやスケジューリングされているデータのみを対象としたり、投影予定とは別にユーザが指定した特定のデータだけを暗号化したりしてもよい。
【００２０】
プロジェクタ100は記憶部20もしくはROM112、RAM113等に保存された対象データの投影を行う（S104）。データは任意の投影方法で投影される。例えば、１つのデータを繰り返し投影したり、特定のフォルダ内の全データを繰り返し投影したり、データの表示間隔を指定したり、といった方法等がある。対象データが正常に復号できていない場合、プロジェクタ100は正常に投影できない旨を報知してもよく、ユーザに再度パスワードを入力させて再度復号を試みる等してもよい。
【００２１】
投影が終了した際、ユーザは操作部19を操作してサイネージモードを終了する（S105）。データの投影終了や、指定した時間を迎える等して自動的に終了してもよい。サイネージモード終了時もしくはUSBメモリの取り外し操作時等、USBメモリを抜く前の任意のタイミングでもよく、制御部11は操作部19を通してユーザにパスワードを入力させる（S106）。時間の経過具合や、別途搭載したカメラや検知機構にて近くにユーザもしくは管理者がいる等を考慮してパスワードの入力をスキップしてもよい。復号部22は記憶部20もしくはROM112等に保存された機器固有のユニークなIDおよび入力されたパスワードをキーとしてUSBメモリ内の暗号データを復号する（S109）。復号の際、正しく復号できているか判断し、復号結果をユーザに報知したり、再度パスワードを入力させたりしてもよい。また、ユーザが指定した特定のデータだけを復号してもよい。
【００２２】
＜動作２＞
図３は、図１に示した表示装置の動作を表すフローチャートの他の一例である。
基本系列（S201-S202-S203-S204-S205-S207-S208-S209）はS203が追加された以外は図２と同等なので説明は省略する。
制御部11はUSBメモリ内のデータが暗号化されているか否かを確認する（S203）。データが暗号化されている場合、復号部22はユーザによって入力されたパスワードと記憶部20もしくはROM112等に保存されている機器固有のユニークなIDをキーとしてUSBメモリ内の暗号データを復号する。制御部11は復号したデータを記憶部20もしくはROM112、RAM113等に保存する（S206）。
暗号化もしくは復号が完了するとプロジェクタ100は記憶部20もしくはROM112、RAM113等に保存された対象データの投影を行う（S205）。
以降は基本系列と同等なので説明は省略する。
【００２３】
ここで、後述する図６が暗号化されている場合にはデータを復号し、データが暗号化されていない場合にはデータを暗号化しているがパスワードを入力した後データを暗号化する意義について説明する。
本発明の目的として、表示装置にUSBを挿したままの状態にある時に、第三者にUSBの内容を盗まれないようにすることが挙げられる。表示中は常にUSBの内容は暗号化しておく必要がある。パスワードで利用者が確認できたとしても、USBの中身が暗号化されていないと利用者が表示装置から離れた場合に第三者がUSBの内容を取得できてしまう。また、S206でデータを復号するとあるが、これもUSBの内容は暗号化されたままで、復号したデータは表示装置内に配置するよう記載している。
【００２４】
＜動作３＞
図４は、図１に示した表示装置の動作を表すフローチャートの他の一例である。
S302までの流れは図２と同様である。
制御部11はUSBメモリ内にプロジェクタ100が投影可能なデータが存在するか検索する（S303）。例えば、ファイル拡張子や圧縮形式、ファイルサイズ等によってプロジェクタ100が投影可能か否かを判断する。USBメモリ内に投影可能なデータが存在する場合（S304）、暗号化部21は投影可能なデータのみを、記憶部20に保存されている機器固有のユニークなIDとユーザが設定したパスワードをキーとして暗号化する（S305）。以降の処理は図２と同様である。
USBメモリ内に投影可能なデータが存在せず（S304）、USBメモリ内に暗号化されたデータが存在する場合（S307）は次のようになる。復号部22はユーザが入力したパスワードと記憶部20もしくはROM112等に保存されている機器固有のユニークなIDとをキーとしてUSBメモリ内の暗号データを復号し、復号したデータを記憶部20もしくはROM112、RAM113等に保存する（S308）。以降の処理は図３と同様である。
【００２５】
USBメモリ内に投影可能なデータが存在しない場合（S304）、USBメモリ内に暗号化されたデータが存在しない場合（S307）、USBメモリ内のデータを投影することができないため、制御部11はサイネージモードを終了させる（S309）。USBメモリ内に投影可能なデータが存在しない場合でも、データの投影ができないだけなので、サイネージモードを終了させずにUSBメモリ内のファイルツリーやファイル名のリスト等を投影してもよい。また、プロジェクタ100にてUSBメモリ内のデータを直接編集できる場合、データ編集後にS303を再度実行し、投影可能なデータとなった場合は、S305以降の処理を行ってもよい。
【００２６】
ここで、通常、表示装置が対応しているフォーマットが存在する。MPEG2の動画は再生可能だがMPEG4は再生不可、JPEG・TIFFは表示可能だがBMPは表示不可等の現象がある。S304で"存在しない"で移行したファイルの中にはUSB内にあるコンテンツが表示装置に対応していないフォーマットだから"存在しない"と判定した場合もある。暗号化されたデータであるため内容がわからず"存在しない"と判定する場合もある。このため図４のように記載した。
【００２７】
また、S302でパスワードを入力し、S311で再度パスワードを入力しているが、リムーバブルメディアは盗難された場合、パスワードを入力しても機器のIDが流出しない限り復号できず、パスワードを再度入力してデータを復号する意義について述べる。
サイネージを終了してUSBを取り外す際には他の機器で見られるようにするため、USBの内容を復号する必要がある。パスワードを再入力してデータを復号しない場合、サイネージを終了してもUSBは暗号化されたままで他の機器で見られないままである。本発明はサイネージ表示中の盗難を防止するため、サイネージ終了後まで暗号化する必要はない。しかし、サイネージ終了時点で自動的に復号すると、第三者が勝手にサイネージモードを終了させ、USBを持ち去るおそれがある。このため、サイネージ終了時、すなわち取り外し時にパスワード確認を行うようにした。
【００２８】
＜構成２＞
図５は、他の実施形態に係るブロック図である。
プロジェクタ200は、I/F部10、制御部11、音声処理部12、スピーカー13、映像処理部14、光学ユニット制御部15、光学ユニット16、光源制御部17、光源18、操作部19、記憶部20、暗号化部21、復号部22、及び位置検知部23を有する。
位置検知部23は例えばGPS（Global Positioning System）受信機等の位置を特定するシステムであり、プロジェクタ200が設置されている位置情報を検出する。表示手段220は、映像処理部14、光学ユニット制御部15、光学ユニット16、光源制御部17、及び光源18を有する。他の構成に関しては図１と同等である。
【００２９】
＜動作４＞
図６は、図５に示した表示装置の動作を表すフローチャートの一例である。
ユーザは投影したいデータを保存したUSBメモリ等のリムーバブルメディアを表示装置としてのプロジェクタ200のUSBポート103に接続し、操作部19を操作してサイネージモードを開始する（S401）。ここでは明示的にサイネージモードというUSBメモリ内のデータを投影するためのモードをユーザが開始してUSB内のデータを投影する場合を例としているが、USBメモリを認識した時点で自動的にサイネージモードを開始してもよい。また、単純にUSBメモリ内のデータにアクセスした際にサイネージモードとしなくても以降の処理を行ってもよい。
【００３０】
位置検知部23はプロジェクタ200の位置情報を検出し、記憶部20もしくはROM112、RAM113等に保存する（S402）。記憶部20もしくはROM112、RAM113等に前回検知した位置情報がある場合、前回検知した位置情報と今回検知した位置情報が一致するか否かの判定を加えてもよく、その結果に応じて以降の処理を進めるか否かを判定してもよい。
【００３１】
制御部11はUSBメモリ内のデータが暗号化されているか否かを確認する（S403）。制御部11はデータが暗号化されていない場合、暗号化部21は位置検知部23によって検出された位置情報と記憶部20もしくはROM112等に保存されている機器固有のユニークなIDをキーとしてUSBメモリ内のデータを暗号化する（S404）。暗号化前のデータを記憶部20もしくはROM112、RAM113等に取り込み、暗号化後のデータをUSBメモリに配置する。
本実施形態では暗号化前のデータを記憶部20へ配置し、暗号化後のデータをUSBメモリへ配置する例を示した。しかし、S405で投影予定もしくは投影中の元データのみを記憶部20もしくはROM112、RAM113等に配置し、投影予定でないもしくは投影中でない元データは削除してもよい。暗号化する対象は、例えば、投影予定としてユーザに指定されているデータやスケジューリングされているデータのみを対象としたり、投影予定とは別にユーザが指定した特定のデータだけを暗号化したりしてもよい。
制御部11はUSBメモリ内のデータが暗号化されているか否かを確認する（S403）。データが暗号化されている場合、復号部22は位置検知部23にて検出した位置情報と記憶部20もしくはROM112等に保存されている機器固有のユニークなIDをキーとしてUSBメモリ内の暗号データを復号する。復号したデータを記憶部20もしくはROM112、RAM113等に保存する（S406）。
【００３２】
暗号化もしくは復号が完了するとプロジェクタ200は記憶部20もしくはROM112、RAM113等に保存された対象データの投影を行う（S405）。データは任意の投影方法で投影される。例えば、１つのデータを繰り返し投影したり、特定のフォルダ内の全データを繰り返し投影したり、データの表示間隔を指定したり、といった方法等がある。対象データが正常に復号できていない場合、プロジェクタ200は正常に投影できない旨を報知してもよい。
【００３３】
投影が終了した際、ユーザは操作部19を操作してサイネージモードを終了する（S407）。データの投影終了や、指定した時間を迎える等して自動的に終了してもよい。サイネージモード終了時もしくはUSBメモリの取り外し操作時等、USBメモリを抜く前の任意のタイミングで、制御部11は位置検知部23を通してプロジェクタ200の位置情報を検知する（S408）。時間の経過具合や、別途搭載したカメラや検知機構にて近くにユーザもしくは管理者がいるか別途搭載したセンサーによって移動が検知されているか等を考慮して位置情報の検知をスキップしてもよい。
復号部22は記憶部20もしくはROM112等に保存された機器固有のユニークなIDおよび位置検知部23によって検出された位置情報をキーとしてUSBメモリ内の暗号データを復号する（S409）。その際、正しく復号できているか否かを判断し、復号結果をユーザに報知してもよい。また、ユーザが指定した特定のデータだけを復号してもよい。
【００３４】
＜作用効果＞
表示装置内に保存されたユニークなID及びユーザが設定するパスワードによって、リムーバブルメディア内のデータの暗号化を行う。このためサイネージ表示中には暗号化され、暗号化を行ったディスプレイ装置のユニークなIDでユーザのパスワードを使って復号することにより記憶媒体を別の表示装置で復号しようとしてもできない。この結果、USBメモリを始めとするリムーバブルメディアを用いてディスプレイ装置で表示している際に、リムーバブルメディアが盗難や複製がされることで記憶媒体内のデータが流出するのを防ぐことができる。また、本発明の副次的な目的は、リムーバブルメディア内にデータを保存する際に暗号化をしなくても、リムーバブルメディアからのデータの流出を防ぐことができる。
尚、復号するのはユーザがサイネージモードを終了してUSBを取り外す時である。USBは表示装置に挿さっている、サイネージモード間だけUSBが暗号化される。理由は、サイネージ中にユーザである正規利用者が離れた隙に第三者に盗まれることを防ぐためであり、また、パスワードによりユーザだと判断された場合に盗まれることはないので暗号化は不要であるためである。
すなわち、サイネージモード中のみ、表示装置によってUSB内のデータは暗号化される。機器のユニークなIDとユーザーパスワードをキーとして暗号化、復号する。
【００３５】
リムーバルメディア内のデータが既に暗号化されている場合に、内部で復号して表示を行うことにより、データが暗号化されていた場合、復号して表示をするので、以前に暗号化されたデータでも表示することができる。
【００３６】
表示装置が表示可能なデータのみを暗号化することで表示装置が表示可能なデータのみを暗号化するので、データを暗号化するまでの時間を短縮することができる。
【００３７】
表示装置が表示予定のデータのみを暗号化することで表示装置が表示予定のデータのみを暗号化するので、データを暗号化するまでの時間を短縮することができる。
【００３８】
指定されたデータのみを暗号化するので、データを暗号化するまでの時間を短縮することができる。
【００３９】
指定されたデータのみを復号し、指定されなかったデータは暗号データのままにするので、データを復号するまでの時間を短縮することができ、次回使用時にデータを暗号化するまでの時間を短縮することができる。
【００４０】
位置情報を暗号化/復号時に使用するキーとするので、リムーバブルメディアだけでなく表示装置も一緒に盗まれた場合にも、データを保護できる。
【００４１】
表示装置が表示予定のデータのみを暗号化するので、データを暗号化するまでの時間を短縮することができる。
【００４２】
指定されたデータのみを暗号化するので、データを暗号化するまでの時間を短縮することができる。また、投影するデータであっても保護が必要なデータのみ暗号化することができる。
【００４３】
指定されたデータのみを復号し、指定されなかったデータは暗号データのままにするので、データを復号するまでの時間を短縮することができ、次回使用時にデータを暗号化するまでの時間を短縮することができる。
【００４４】
ここで、各フローチャートの中にサイネージを終了した後、パスワードを入力したり、データを復号したりしているが、サイネージ終了後そのままリムーバブルメディアを機器から抜き取り所定の場所に保管した場合について述べる。
パスワードを知っていて入力できるのは第三者ではなく利用者であると考えられる。サイネージが終了した場合は第三者に盗まれることは考えにくいため復号処理を行っている。復号処理を行わない場合、USBの中身は暗号化されたままになる。また、復号には表示装置のパスワードと表示装置に記録されたユニークなIDが必要になるので、別の場所、すなわちPCや他の表示装置では暗号化されたまま、中身をみることができない状態になる。
【００４５】
＜プログラム＞
以上で説明した本発明に係る表示装置は、コンピュータで処理を実行させるプログラムによって実現されている。よって、一例として、プログラムにより本発明の機能を実現する場合の説明を以下で行う。
【００４６】
例えば、
機器ID記憶手段と、パスワード入力手段と、暗号化手段と、復号手段と、表示手段と、を備えた表示装置のコンピュータが読み取り可能な制御プログラムにおいて、
コンピュータが、
機器ID記憶手段に、表示装置固有の機器IDを保存する手順、
パスワード入力手段に、パスワードを入力する手順、
暗号化手段に、機器IDと前記パスワードとをキーとしてリムーバブルメディア内のデータを表示する際に暗号化する手順、
復号手段に、機器IDとパスワードとをキーとしてリムーバブルメディア内のデータを復号する手順、
表示手段に、リムーバブルメディア内のデータを表示する手順、
を実行させるための表示装置の制御プログラムが挙げられる。
【００４７】
このようなプログラムは、コンピュータに読み取り可能な記憶媒体に記憶されていてもよい。
【００４８】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００４９】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００５０】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００５１】
１０    Ｉ／Ｆ部
１１    制御部
１２    音声処理部
１３    スピーカー
１４    映像処理部
１５    光学ユニット制御部
１６    光学ユニット
１７    光源制御部
１８    光源
１９    操作部（パスワード入力手段）
２０    記憶部（機器ＩＤ記憶手段）
２１    暗号化部
２２    復号部
２３    位置検知部
１００、２００    プロジェクタ（表示装置）
１０１    映像ポート
１０２    音声ポート
１０３    ＵＳＢポート
１０４    ＬＡＮポート
１１１    ＣＰＵ
１１２    ＲＯＭ
１１３    ＲＡＭ
１２０、２２０    表示手段
【先行技術文献】
【特許文献】
【００５２】
【特許文献１】特開２０１０−２７１７７１号公報
【図１】
2015143950.tif 000003
【図２】
2015143950.tif 000004
【図３】
2015143950.tif 000005
【図４】
2015143950.tif 000006
【図５】
2015143950.tif 000007
【図６】
2015143950.tif 000008